(57)【特許請求の範囲】
【請求項１】
再生機器及び管理機器と共に情報提示システムを構成し、前記再生機器とは異なる端末機器であって、
外部からの入力を受け付ける入力受付手段と、
受け付けた入力に従って、前記再生機器で再生されたコンテンツを識別するコンテンツ識別子と前記コンテンツがレンタルコンテンツであったかユーザが所有しているコンテンツであったかを示すレンタル情報とを記憶する管理機器から、前記コンテンツ識別子及び前記レンタル情報を用いて生成される提示情報を取得する提示情報取得手段と、
取得した前記提示情報を提示する提示手段と
を備えることを特徴とする端末機器。
【請求項２】
前記端末機器は、更に、
特定のコンテンツを識別する特定コンテンツ識別子を取得する識別子取得手段を備え、
前記提示情報取得手段は、取得された前記特定コンテンツ識別子が、前記管理機器に記憶されているか否かを示す前記提示情報を、前記管理機器に要求して取得する
ことを特徴とする請求項１に記載の端末機器。
【請求項３】
前記入力受付手段は、更に、複数のコンテンツ識別子の入力を受け付け、
前記提示情報取得手段は、更に、それぞれのコンテンツ識別子が前記管理機器に保持されているか否かを示す前記提示情報を要求して取得し、
前記提示手段は、保持されているコンテンツ識別子と、保持されていないコンテンツ識別子とを区別して示す前記提示情報を提示する
ことを特徴とする請求項２に記載の端末機器。
【請求項４】
前記入力受付手段は、コンテンツの属性を分類した特定の項目の入力を受け付け、
前記提示情報取得手段は、前記特定の項目を、前記管理機器へ送信して前記提示情報を要求し、
前記管理機器は、複数のコンテンツの属性を示す複数の項目を、前記コンテンツを識別するコンテンツ識別子と対応付けた属性情報を保持し、
前記提示手段は、前記再生されたコンテンツのコンテンツ識別子と対応し、前記特定の項目を含む属性情報と前記レンタル情報とを用いて生成された前記提示情報を提示する
ことを特徴とする請求項１に記載の端末機器。
【請求項５】
前記管理機器は、複数のユーザをそれぞれ識別するユーザ識別子と、各ユーザが再生したコンテンツを識別するコンテンツ識別子と、前記各ユーザが再生したコンテンツがレンタルコンテンツであるかユーザが所有しているコンテンツであったかを示すレンタル情報とを対応付けて記憶しており、
前記提示情報取得手段は、特定のユーザを識別する特定のユーザ識別子を前記管理機器に送信し、前記特定のユーザ識別子に対応付けられているコンテンツ識別子と前記レンタル情報とに応じた前記提示情報を取得する
ことを特徴とする請求項１に記載の端末機器。
【請求項６】
端末機器及び管理機器と共に情報提示システムを構成し、前記端末機器とは異なる再生機器であって、
記録媒体に記録されているコンテンツを再生する再生手段と、
前記コンテンツの再生時に、再生したコンテンツを識別するコンテンツ識別子と、前記コンテンツがレンタルコンテンツであったか否かを示すレンタル情報とを、前記記録媒体から取得する取得手段と、
当該再生機器が過去に再生したコンテンツに係るコンテンツ識別子及びレンタル情報を記憶する記憶手段と、
（ａ）前記取得手段が取得したコンテンツ識別子と前記記憶手段に記憶されているコンテンツ識別子とが同じコンテンツを示し、且つ、前記記憶手段に記憶されているレンタル情報がレンタルコンテンツであることを示す場合に、前記取得手段が取得したコンテンツ識別子及びレンタル情報を、前記管理機器へ送信し、
（ｂ）前記取得手段が取得したコンテンツ識別子と前記記憶手段に記憶されているコンテンツ識別子とが同じコンテンツを示し、且つ、前記記憶手段に記憶されているレンタル情報がレンタルコンテンツでないことを示す場合に、前記取得手段が取得したコンテンツ識別子及びレンタル情報を、前記管理機器へ送信するのを抑制し、
（ｃ）前記取得手段が取得したコンテンツ識別子と前記記憶手段に記憶されているコンテンツ識別子とが異なるコンテンツを示す場合に、前記取得手段が取得したコンテンツ識別子及びレンタル情報を、前記管理機器へ送信する送信手段と、
前記送信手段が、前記取得手段が取得したコンテンツ識別子及びレンタル情報を前記管理機器に送信した場合に、前記コンテンツ識別子及び前記レンタル情報を記憶するように前記記憶手段を更新する更新手段と
を備えることを特徴とする再生機器。
【請求項７】
端末機器及び管理機器と共に情報提示システムを構成し、前記端末機器とは異なる再生機器で用いられる再生方法であって、
前記再生機器は、当該再生機器が過去に再生したコンテンツに係るコンテンツ識別子及びレンタル情報を記憶する記憶手段を備え、
前記再生方法は、
前記再生機器の再生手段が、記録媒体に記録されているコンテンツを再生する再生ステップと、
前記再生機器の取得手段が、前記コンテンツの再生時に、再生したコンテンツを識別するコンテンツ識別子と、前記コンテンツがレンタルコンテンツであったか否かを示すレンタル情報とを、前記記録媒体から取得する取得ステップと、
前記再生機器の送信手段が、
（ａ）前記取得ステップが取得したコンテンツ識別子と前記記憶手段に記憶されているコンテンツ識別子とが同じコンテンツを示し、且つ、前記記憶手段に記憶されているレンタル情報がレンタルコンテンツであることを示す場合に、前記取得ステップが取得したコンテンツ識別子及びレンタル情報を、前記管理機器へ送信し、
（ｂ）前記取得ステップが取得したコンテンツ識別子と前記記憶手段に記憶されているコンテンツ識別子とが同じコンテンツを示し、且つ、前記記憶手段に記憶されているレンタル情報がレンタルコンテンツでないことを示す場合に、前記取得ステップが取得したコンテンツ識別子及びレンタル情報を、前記管理機器へ送信するのを抑制し、
（ｃ）前記取得ステップが取得したコンテンツ識別子と前記記憶手段に記憶されているコンテンツ識別子とが異なるコンテンツを示す場合に、前記取得ステップが取得したコンテンツ識別子及びレンタル情報を、前記管理機器へ送信する送信ステップと、
前記再生機器の更新手段が、前記送信ステップが、前記取得ステップが取得したコンテンツ識別子及びレンタル情報を前記管理機器に送信した場合に、前記コンテンツ識別子及び前記レンタル情報を記憶するように前記記憶手段を更新する更新ステップと
そ含むことを特徴とする再生方法。
【請求項８】
端末機器及び管理機器と共に情報提示システムを構成し、前記端末機器とは異なる再生機器で用いられる再生プログラムを記録したコンピュータ読み取り可能な記録媒体であって、
前記再生機器は、当該再生機器が過去に再生したコンテンツに係るコンテンツ識別子及びレンタル情報を記憶する記憶手段を備え、
前記再生プログラムは、
前記再生機器の再生手段に、記録媒体に記録されているコンテンツを再生する再生ステップと、
前記再生機器の取得手段に、前記コンテンツの再生時に、再生したコンテンツを識別するコンテンツ識別子と、前記コンテンツがレンタルコンテンツであったか否かを示すレンタル情報とを、前記記録媒体から取得する取得ステップと、
前記再生機器の送信手段に、
（ａ）前記取得ステップが取得したコンテンツ識別子と前記記憶手段に記憶されているコンテンツ識別子とが同じコンテンツを示し、且つ、前記記憶手段に記憶されているレンタル情報がレンタルコンテンツであることを示す場合に、前記取得ステップが取得したコンテンツ識別子及びレンタル情報を、前記管理機器へ送信し、
（ｂ）前記取得ステップが取得したコンテンツ識別子と前記記憶手段に記憶されているコンテンツ識別子とが同じコンテンツを示し、且つ、前記記憶手段に記憶されているレンタル情報がレンタルコンテンツでないことを示す場合に、前記取得ステップが取得したコンテンツ識別子及びレンタル情報を、前記管理機器へ送信するのを抑制し、
（ｃ）前記取得ステップが取得したコンテンツ識別子と前記記憶手段に記憶されているコンテンツ識別子とが異なるコンテンツを示す場合に、前記取得ステップが取得したコンテンツ識別子及びレンタル情報を、前記管理機器へ送信する送信ステップと、
前記再生機器の更新手段に、前記送信ステップが、前記取得ステップが取得したコンテンツ識別子及びレンタル情報を前記管理機器に送信した場合に、前記コンテンツ識別子及び前記レンタル情報を記憶するように前記記憶手段を更新する更新ステップと
を実行させる前記再生プログラムを記録している記録媒体。
【発明の詳細な説明】
【技術分野】
【０００１】
本発明は、検索用データベース生成技術に関する。
【背景技術】
【０００２】
従来、撮影又は録画された映像や録音された音声などの映像資料を、ビデオテープ、CD、DVD、BD（Blu-ray Disc）などに記録して保存する際、データベース生成装置を用いて、これらの記録媒体の識別子、記録した内容の説明文、撮影方法などを映像インデックスとして入力し、映像検索用データベースを生成していた。
ところが、上記装置では、映像資料を保管する毎に、当該映像資料に対応する全ての情報をユーザが入力しなければならないために、その入力に多大な時間がかかり、当該映像検索用インデックスを容易には生成し難いことにより、映像検索用データベースも容易には生成し難いという問題があった。
【０００３】
そこで特許文献１には、以下のような、検索用データベースを容易に生成する検索用データベース生成装置及びその方法に関する技術が開示されている。
検索用データベース生成装置は、予め、映像データの一部でなるインデックス画像データが記録された携帯型外部記録媒体が装填手段に着脱自在に装填される毎に、当該携帯型外部記録装置から再生したインデックス画像データを用いて映像データの検索用インデックスデータを生成し、その検索用インデックスデータを所定の格納手段に順次格納してデータベース化し保管される映像データを検索するための検索用データベースを生成することにより、キーボードを介して映像データの内容を説明する説明文を入力することなく、携帯型外部記録媒体が装填手段に着脱自在に装填される毎に、当該映像データの内容を表すインデックス画像データを用いて検索用インデックスデータを容易に生成することが出来、かくして、映像検索用データベースを容易に生成することが出来る。
【特許文献１】特開２００１−２１６３２５号公報
【発明の開示】
【発明が解決しようとする課題】
【０００４】
しかしながら、上記技術は、映像データの撮影時に検索用のデータを生成するものであり、一般のユーザが所有するBDなどのパッケージメディアの検索用データベースを生成することは出来ない。また、パッケージメディアを購入する際などに、データベースを確認したいという要望がある。
そこで本発明はかかる問題点に鑑みてなされたものであり、ユーザが保有するパッケージメディアに係る情報を、外出先からも容易に利用可能な、情報提示システム、管理機器及び情報提示方法を提供することを目的とする。
【課題を解決するための手段】
【０００５】
上記目的を達成するために、本発明は、利用機器、管理機器及び可搬型の端末機器から構成され、対象物に係る情報を利用する情報提示システムであって、前記利用機器は、対象物を利用し、利用した対象物を識別する対象物識別子を前記管理機器へ送信し、前記管理機器は、前記対象物識別子を受信して保持し、前記端末機器からの要求に応じて、保持している対象物識別子に応じた提示情報を生成し、出力し、前記端末機器は、前記提示情報を要求し、前記管理機器から取得して提示することを特徴とする。
【発明を実施するための最良の形態】
【０００６】
以下、本発明の実施の形態であるライブラリ情報管理システムについて図面を用いて詳細に説明する。
１．  ライブラリ情報管理システム１００
ライブラリ情報管理システム１００は、図１に示すように、再生装置２００、ライブラリ情報管理装置３００及び携帯電話４００から構成される。ライブラリ情報管理システム１００は、再生装置２００で再生されたコンテンツに係る情報を、ライブラリ情報管理装置３００に登録して管理するシステムであり、登録した情報は、携帯電話４００から利用することが出来る。
【０００７】
再生装置２００は、ユーザが居住する家屋内に設置されている。再生装置２００には、モニタ２５１及びスピーカ２５２が接続されている。再生装置２００は、ユーザが購入したBD５００に記録されているコンテンツを再生する装置である。また、再生装置２００は、インターネット１１０に接続されており、再生したコンテンツに係る情報を、インターネット１１０を介してライブラリ情報管理装置３００に送信する。
【０００８】
ライブラリ情報管理装置３００は、インターネット１１０に接続されており、再生装置２００から受信するデータを基に、有料でユーザ毎のライブラリ一覧情報を生成し、管理する。これにより、ライブラリ情報管理装置３００を有するライブラリ情報管理業者は、ライブラリ一覧情報を管理するライブラリ情報管理サービスを提供する。
ユーザが有する携帯電話４００は、ユーザからの入力に従い、基地局１３０、携帯電話網１２０及びインターネット１１０を介して、ライブラリ一覧情報に係る情報をライブラリ情報管理装置３００から取得して表示する。ユーザは、携帯電話４００を用いることによって、外出先からライブラリ一覧情報を利用することが出来る。
１．１  再生装置２００の構成
再生装置２００は、図２に示すように、制御部２０１、送受信部２０２、ドライブ部２０３、再生部２０４、記憶部２０５、入力部２０６及び表示部２０７から構成される。
【０００９】
再生装置２００は、具体的には、マイクロプロセッサ、ＲＯＭ、ＲＡＭ、ハードディスクユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、再生装置２００は、その機能を達成する。
（１）記憶部２０５
記憶部２０５は、画像記憶領域２１５、ユーザＩＤ記憶領域２２５及びコンテンツＩＤ記憶領域２３５を有する。
【００１０】
ユーザID記憶領域２２５は、ユーザIDとパスワードとを記憶する記憶領域である。ユーザID及びパスワードは、ユーザが、ライブラリ情報管理サービスを受けることを、ライブラリ情報管理業者に契約した際に、ライブラリ情報管理装置３００に登録したユーザID及びパスワードである。ユーザID及びパスワードは、入力部２０６からユーザによる入力を受け付けて記憶する。ユーザIDは、ユーザに固有の識別子であり、パスワードと対応付けて記憶している。
【００１１】
画像記憶領域２１５は、図３に示す入力画面２１１、２１２、２１３及び２１４を表示するための画像データを記憶している。画像データは、実際には電子データとして記憶されるが、図３ではモニタ２５１に表示される画面を示す図として表す。入力画面２１１は、再生装置２００に装着されたBD５００に記録されているコンテンツがライブラリ一覧情報に登録されていない場合、又は、レンタルとして登録されているコンテンツと同じコンテンツが記録されている、レンタルでないBDが装着された場合に、装着されたBDに記録されているコンテンツをライブラリ一覧情報に登録するか否かを、ユーザに問い合わせる画面である。入力画面２１２は、登録するコンテンツを、開示情報として登録するか、非開示情報として登録するかを選択する画面である。ここで、開示情報とは、上記ユーザID及びパスワードを用いることで利用できる情報であり、非開示情報とは、前記パスワードとは別の非開示パスワードを用いた場合に利用できる情報である。入力画面２１３は、登録したい項目を選択する画面である。項目は、ライブラリ一覧情報に登録する情報の項目を示す。各項目は、タイトル、タイトル映像、出演者、関連情報から成る。選択された項目がライブラリ一覧情報に登録される。入力画面２１４は、パッケージのタイトル及び開示又は非開示を表示して、入力された情報をライブラリ情報管理装置３００に送信してよいかを問い合わせる画面である。
【００１２】
コンテンツID記憶領域２３５は、コンテンツIDとレンタル情報とを対応付けて記憶する記憶領域である。コンテンツIDは、BD５００に記録されているコンテンツに固有の識別子である。ライブラリ情報管理装置３００にライブラリ情報として登録したコンテンツIDが記憶される。レンタル情報は、登録したコンテンツＩＤがレンタルか否かを示すフラグである。レンタルの場合「１」が、レンタルで無い場合「０」が、コンテンツＩＤと対応付けて記憶される。
（２）ドライブ部２０３
ドライブ部２０３は、BD５００からコンテンツＩＤ及びレンタル情報を読出し、制御部２０１へ出力する。また、制御部２０１の制御の基、BD５００に記録されているコンテンツを読出し、再生部２０４へ出力する。
（３）再生部２０４
再生部２０４は、モニタ２５１及びスピーカ２５２に接続されており、制御部２０１の制御の基、ドライブ部２０３がBD５００から読み出すコンテンツを受け取り、受け取ったコンテンツから映像信号を生成し、生成した映像信号をモニタ２５１へ出力し、受け取ったコンテンツから音声信号を生成し、生成した音声信号をスピーカ２５２へ出力する。
（４）入力部２０６
入力部２０６は、ユーザの操作によるリモコン２５３からの入力信号を受け付け、受け付けた信号を制御部２０１へ出力する。
（５）制御部２０１
制御部２０１は、BD５００が装着されると、ドライブ部２０３を制御して、BD５００に記録されているコンテンツのコンテンツID及びレンタル情報を読み出す。読み出したIDが、コンテンツID記憶領域２３５に記憶されているか否かを判断し、記録されていない場合、モニタ２５１に図３に示す入力画面２１１を表示する。記録されている場合、対応付けて記憶しているレンタル情報と、読み出したレンタル情報とを比較し、記憶しているレンタル情報が「１」で、読み出したレンタル情報が「０」である場合、ライブラリ一覧情報のレンタル情報を更新するため、モニタ２５１に図３に示す入力画面２１１を表示する。記憶しているレンタル情報が「１」で読み出したレンタル情報が「１」の場合、及び記憶しているレンタル情報が「０」の場合は、登録処理を行わない。
【００１３】
入力画面２１１を表示した後、入力部２０６を介して「はい」及び「次へ」の入力を受け付けると、入力画面２１２を表示する。「開示」か「非開示」かの何れか及び「次へ」が選択されると、入力画面２１３を表示する。入力画面２１３で表示された選択肢の何れか及び「次へ」が選択されると、タイトルと、開示又は非開示と共に、入力画面２１４が表示される。「送信」が選択されると、記憶部２０５からユーザＩＤ及びパスワードを読み出し、読み出したユーザＩＤ及びパスワードと、BD５００から読み出したコンテンツＩＤ及びレンタル情報と、入力された情報とを、登録情報として、送受信部２０２を介してライブラリ情報管理装置３００へ送信する。
【００１４】
入力画面２１１を表示した後、入力部２０６を介して「いいえ」及び「次へ」の入力を受け付けると、登録処理を終了する。
制御部２０１は、入力部２０６からコンテンツを再生する旨の入力を受け付けると、ドライブ部２０３を制御してBD５００からコンテンツを読み出し、再生部２０４を制御して読み出したコンテンツを再生する。
１．２  ライブラリ情報管理装置３００の構成
ライブラリ情報管理装置３００は、再生装置２００から送信されるコンテンツに係る情報を、ライブラリ一覧情報として管理する装置であり、図４に示すように、制御部３０１、送受信部３０２、記憶部３０３、入力部３０４、表示部３０５及び課金部３０６から構成される。
【００１５】
ライブラリ情報管理装置３００は、具体的には、マイクロプロセッサ、ＲＯＭ、ＲＡＭ、ハードディスクユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、前記ライブラリ情報管理装置３００は、その機能を達成する。
（１）記憶部３０３
記憶部３０３は、コンテンツ情報格納領域３１１、ライブラリ一覧情報格納領域３１２及びユーザ情報格納領域３１３を備える。
【００１６】
（ａ）コンテンツ情報格納領域３１１
コンテンツ情報格納領域３１１は、入力部３０４を介して外部から入力される、コンテンツ一覧情報を格納する領域である。コンテンツ一覧情報は図５に示すように、映画、ドラマ、スポーツなど、コンテンツのジャンル毎のコンテンツ一覧情報から構成される。
コンテンツ一覧情報は、コンテンツＩＤ、タイトル、タイトル映像及び関連情報の各項目を対応付けて構成されるコンテンツ情報の組が、登録されているコンテンツの数だけ含んで構成される。
【００１７】
コンテンツＩＤは、各コンテンツに固有の識別子である。タイトルは、対応するコンテンツIDが示すコンテンツの名称である。タイトル映像は、当該コンテンツを記録している記録媒体のジャケットの画像や、当該コンテンツの内容を示す代表的な映像が格納される。関連情報は、当該コンテンツのジャンルに従って、関連する情報が格納される。一例として、当該コンテンツのジャンルが映画の場合、出演者に関する情報、映画を製作した監督、脚本家及び映画の原作に関する情報が格納される。
【００１８】
（ｂ）ライブラリ一覧情報格納領域３１２
ライブラリ一覧情報格納領域３１２は、各ユーザＩＤ毎のライブラリ一覧情報が格納される領域である。ライブラリ一覧情報は、図６に示すように、ユーザＩＤ毎のライブラリ一覧情報が、ライブラリ提供サービスを受ける契約をしたユーザの数だけ含んで構成される。
【００１９】
各ライブラリ一覧情報は、ユーザＩＤによって識別される。各ライブラリ一覧情報は、コンテンツＩＤ、レンタル情報、開示/非開示、ジャンル、タイトル、タイトル映像、関連情報及び登録日時の各項目から構成されるライブラリ情報が、ユーザによって登録された数だけ含んで構成される。
開示/非開示は、コンテンツＩＤが示すコンテンツを開示情報として登録しているか、非開示情報として登録しているかを示す。
【００２０】
タイトル、タイトル映像及び関連情報は、コンテンツ一覧情報から、登録情報に含まれるコンテンツＩＤが示すコンテンツ情報の、選択された項目を読み出して書き込まれる。登録情報に含まれなかった項目には、登録が無いことを示す情報が書き込まれる。ジャンルは、前記タイトル、タイトル映像及び関連情報を読み出したコンテンツ一覧情報のジャンルを書き込む領域である。登録日時は、再生装置から受信した登録情報を、ライブラリ一覧情報に登録した日時を書き込む領域である。
【００２１】
（ｃ）ユーザ情報格納領域３１３は、ユーザがライブラリ情報管理業者と契約した際に登録する情報であるユーザ情報を格納する領域である。ユーザ情報は図７に示すように、ユーザＩＤ、パスワード及び非開示パスワードが対応付けられて構成される組を、ライブラリ情報管理業者が契約しているユーザの数だけ含んで構成される。非開示パスワードは、非開示情報を読み出す場合に用いるパスワードである。
（２）課金部３０６
課金部３０６は、制御部３０１の制御の基、携帯電話４００に対して、送信した情報に対する代金を課金する。
（３）制御部３０１
制御部３０１は、送受信部３０２を介してデータの送受信を行う。以下、送信する、又は受信すると表現する場合、送受信部３０２を介して送受信を行うことを示す。
【００２２】
制御部３０１は、再生装置２００又は携帯電話４００から、登録情報又はライブラリ一覧情報に関する情報の取得を示す取得要求情報を受信すると、ユーザ情報格納領域３１３のユーザ情報に、受信した情報に含まれるユーザＩＤ及びパスワードと一致する組が有るか否かを判断する。一致する組が無い場合は、受け付け出来ないことを示す受付拒否情報を返信する。
【００２３】
制御部３０１は、再生装置２００から登録情報を受信し、ユーザ情報に一致する組が有ると判断した場合、受信した登録情報に含まれるユーザIDが識別するライブラリ一覧情報に、当該登録情報に含まれるコンテンツIDと一致するコンテンツIDが有るか否かを判断し、有ると判断する場合、更新であると判断し、無い場合、新規登録であると判断する。更新と判断する場合は、受信した登録情報に含まれるユーザＩＤが示すライブラリ一覧情報の、受信したコンテンツＩＤが示すライブラリ情報のレンタル情報を更新する。新規登録と判断する場合は受信したユーザＩＤが示すライブラリ一覧情報に、新しいライブラリ情報として、登録情報として受信したコンテンツＩＤ、レンタル情報及び開示/非開示を書き込む。また、コンテンツ一覧情報から、受信したコンテンツＩＤが示すコンテンツ情報を読み出し、読み出したコンテンツ情報から登録情報として受信した項目に該当する項目を抽出し、抽出した項目の情報を、コンテンツＩＤが一致する組に書き込む。選択されなかった項目は、登録が無いことを示す情報を書き込む。
【００２４】
制御部３０１は、携帯電話４００から取得要求情報を受信し、ユーザ情報に一致する組が有ると判断した場合、取得要求情報の内容に従って処理を行う。
取得要求情報がライブラリ一覧情報を取得することを示す場合、受信したユーザＩＤが示すライブラリ一覧情報を読み出す。
また、ライブラリ一覧情報に非開示情報がある場合、開示情報のみを抽出し、抽出した開示情報と、非開示情報があることを示す情報とを結果として携帯電話４００へ送信する。
【００２５】
取得要求情報が、ジャンル別の場合、受信したユーザＩＤが示すライブラリ一覧情報から、取得要求情報が示すジャンルのライブラリ情報を抽出する。抽出したライブラリ情報に非開示情報がある場合、開示情報のみを抽出し、抽出したライブラリ情報と、非開示情報があることを示す情報を結果として携帯電話４００へ送信する。
取得要求情報が検索を示す場合、受信したユーザＩＤが示すライブラリ一覧情報に、取得要求情報に含むコンテンツのタイトルと一致するライブラリ情報が有るか否かを検索する。
【００２６】
取得要求情報が非開示情報の取得を示す場合、取得要求情報と共に取得した非開示パスワードが、ユーザ情報の、受信したユーザＩＤと対応する非開示パスワードと一致するか否かを判断する。一致しないと判断する場合、取得出来ないことを示す受付拒否情報を返信する。一致すると判断する場合、ユーザＩＤが示すライブラリ一覧情報から、非開示情報を抽出し、携帯電話４００へ送信する。
【００２７】
また、制御部３０１は、携帯電話４００から、結果を取得したことを示す取得信号を受信すると、課金部３０６を制御して課金を行う。
１．３  携帯電話４００の構成
携帯電話４００は図８に示すように、制御部４０１、アンテナ４０２、送受信部４０３、記憶部４０４、入力部４０５、表示部４０６、スピーカ４０７及びマイク４０８から構成される。携帯電話４００は、再生装置２００と同様のコンピュータシステムであり、ＲＡＭ又はハードディスクユニットに記憶されているコンピュータプログラムに従って、マイクロプロセッサが動作することにより、携帯電話４００はその機能を達成する。
（１）記憶部４０４
記憶部４０４は、図９に示す表示画面４１１〜４１７を表示するための画像データを記憶している。画像データは、実際には電子データとして記憶されているが、図９では簡単のため、表示部４０６に表示される表示画面を図示する。
【００２８】
表示画面４１１は、入力部４０５からライブラリ一覧情報の利用を示すライブラリ一覧情報取得サービスの開始が選択された場合に表示する画面であり、ユーザＩＤ及びパスワードの入力を受け付ける領域を有する画面である。
表示画面４１２は、取得する情報の選択を受け付ける画面であり、ライブラリ一覧情報、ジャンル別及び検索から成る。ライブラリ一覧情報は、登録しているライブラリ一覧情報のうち、開示情報を全て取得することを示す。ジャンル別は、選択されたジャンルのライブラリ情報のみ取得することを示す。検索は、特定のコンテンツがライブラリ一覧情報に登録されているか否かを検索することを示す。
【００２９】
表示画面４１３は、表示画面４１２で検索が選択された場合に表示する画面であり、検索を希望するコンテンツのタイトルを入力する領域を有する。
表示画面４１４は、ジャンル別が選択された場合に表示する画面であり、ジャンルの選択を受け付ける。ジャンルは、映画、ドラマ、スポーツ、音楽、レンタル及びその他から成る。映画、ドラマ、スポーツ及び音楽は、ライブラリ情報管理装置のコンテンツ一覧情報の各ジャンルと対応しており、ライブラリ一覧情報から選択されたジャンルの組を取得することを示す。その他は、映画、ドラマ、スポーツ及び音楽に当てはまらないジャンルの組を取得することを示す。レンタルは、ライブラリ一覧情報にレンタルとして登録されている組を取得することを示す。
【００３０】
表示画面４１５は、検索結果を表示する画面であり、検索したタイトルのコンテンツが登録されているか否かを表示する。
表示画面４１６は、ライブラリ一覧情報又は選択されたジャンルに非開示情報がある場合に、非開示情報を取得するか否かの選択を受け付ける画面であり、ライブラリ一覧情報又はジャンル別の結果と共に表示される。
【００３１】
表示画面４１７は、非開示情報を取得することが選択された場合に、非開示パスワードの入力を受け付ける画面である。
（２）制御部４０１
制御部４０１は、入力部４０５を介してライブラリ一覧情報取得サービスを開始する旨の入力を受け付けると、表示部４０６に表示画面４１１を表示する。制御部４０１は、ユーザID及びパスワードの入力を受け付け、「OK」が選択されると、表示画面４１２を表示する。表示画面４１２でライブラリ一覧情報が選択された場合、制御部４０１は、入力されたユーザＩＤ及びパスワードを取得要求情報情報としてライブラリ情報管理装置３００へ、送受信部４０３及びアンテナ４０２を介して送信する。なお、本明細書で制御部４０１が送信すると表現する場合、送受信部４０３及びアンテナ４０２を介して送信することを示す。また、受信する場合も同様である。
【００３２】
制御部４０１は、表示画面４１２で検索が選択された場合、表示画面４１３でタイトルの入力を受け付け、入力を受け付けたユーザＩＤ、パスワード及びタイトルを、取得要求情報としてライブラリ情報管理装置３００へ送信する。
表示画面４１２でジャンル別が選択された場合、表示画面４１４でジャンルの選択を受け付け、入力されたユーザＩＤ及びパスワードと、選択を受け付けたジャンルとを取得要求情報情報としてライブラリ情報管理装置３００へ送信する。
【００３３】
制御部４０１は、検索結果を受信すると、表示部４０６を制御して、表示画面４１５に検索したタイトルを重ねて表示させる。また、制御部４０１は、ライブラリ一覧情報又はジャンル別の結果と共に、非開示情報が有ることを示す情報を受信すると、結果と共に、表示画面４１６を表示する。また、制御部４０１は、表示画面４１６を表示した場合に、非開示画面を取得する旨の入力を受け付けると、表示部４０６に表示画面４１７を表示し、入力部４０５から非開示パスワードの入力を受け付ける。非開示パスワードを含み、非開示情報を取得することを示す取得要求情報情報を、ライブラリ情報管理装置３００へ送信する。また、非開示情報取得の結果を受信すると、表示部４０６に表示する。
【００３４】
制御部４０１は、結果を受信すると、受信したことを示す取得信号をライブラリ情報管理装置３００へ送信する。
１．４  再生装置２００の動作
再生装置２００がコンテンツIDをライブラリ一覧情報に登録する際の動作について、図１０，１１を用いて説明する。
【００３５】
再生装置２００は、BD５００を検出したか否かを判断する（ステップＳ１）。検出されていないと判断する場合は（ステップＳ１でNO）、検出するまで待機する。
BD５００を検出したと判断した場合（ステップＳ１でYES）、制御部２０１は、ドライブ部２０３を制御してBD５００からコンテンツＩＤ及びレンタル情報を読み出す（ステップＳ２）。読み出したコンテンツＩＤが、記憶部２０５に記憶されているか否かを判断し（ステップＳ３）、記憶されていない場合（ステップＳ３でNO）、モニタ２５１に入力画面２１１を表示する（ステップＳ６）。
【００３６】
読み出したコンテンツＩＤが既に記憶されている場合（ステップＳ３でYES）、記憶されているコンテンツＩＤがレンタルとして記憶されているかを判断する（ステップＳ４）。レンタルでないとして記憶されている場合（ステップＳ４でNO）、登録処理を終了する。
レンタルとして記憶されている場合（ステップＳ４でYES）、読み出したレンタル情報がレンタルを示すか否を判断する（ステップＳ５）。レンタルを示す場合は、登録処理を終了する。
【００３７】
レンタルでない場合（ステップＳ５でNO）、モニタ２５１に入力画面２１１を表示する（ステップＳ６）。
入力画面２１１を表示した後、ユーザからのリモコン２５３の操作によって、入力を受け付け（ステップＳ７）、受け付けた入力が登録することを示すか否かを判断する（ステップＳ８）。登録しない場合、登録処理を終了する。
【００３８】
登録することを示す場合、入力画面２１２を表示する（ステップＳ９）。登録するコンテンツＩＤを開示にするか非開示にするかの入力を受け付けると（ステップＳ１０）、入力画面２１３を表示し（ステップＳ１１）、項目の選択を受け付ける（ステップＳ１２）。次に入力画面２１４を表示し（ステップＳ１３）、確認の入力を受け付けると（ステップＳ１４）、コンテンツID記憶領域に、読み出したコンテンツID及びレンタル情報を対応付けて書き込む（ステップＳ１５）。また、記憶部２０５からユーザID及びパスワードを読みだし（ステップＳ１６）、コンテンツID、レンタル情報、入力を受け付けたデータ及び読み出したユーザID及びパスワードを登録情報として送信する（ステップＳ１７）。
１．５  ライブラリ情報管理装置３００の動作
ライブラリ情報管理装置３００の動作を、図１２，１３を用いて説明する。
【００３９】
制御部３０１は、データを受信したか否かを検出する（ステップＳ３１）。受信していない場合、受信するまで待機する。受信した場合（ステップＳ３１でYES）、ユーザ情報格納領域３１３に格納されているユーザ情報に、受信したユーザID及びパスワードと一致する組が有るか否かを判断する（ステップＳ３２）。一致する組が無い場合、受信拒否を返信し（ステップＳ３３）、再び受信するまで待機する。一致する組が有る場合（ステップＳ３２でYES）、受信したデータが登録を示すか、取得を示すかを判断する（ステップＳ３４）。登録を示す場合、更新か否かを判断する（ステップＳ３５）。更新を示す場合、受信したユーザIDが示すライブラリ一覧情報の、受信したコンテンツIDが示すライブラリ情報を更新する（ステップＳ３６）。更新の処理が終了すると、受信を検出するまで待機する。
【００４０】
更新で無い場合（ステップＳ３５でNO）、コンテンツ一覧情報から、受信したコンテンツIDが示す組を抽出し（ステップＳ３７）、抽出した組から受信した項目に該当する項目を抽出し、抽出した情報と、登録情報に含んで受信した情報とからライブラリ情報を生成し、受信したユーザIDが示すライブラリ一覧情報に追加する（ステップＳ３８）。処理が終わると、受信を検出するまで待機する。
【００４１】
受信した内容が取得要求情報を示す場合（ステップＳ３４で取得）、要求内容を判断する（ステップＳ３９）。要求内容が、ライブラリ一覧情報の読み出しを示す場合、受信したユーザIDが示すライブラリ一覧情報から開示情報を読み出し（ステップＳ４０）、送信する（ステップＳ４５）。要求内容がジャンル別を示す場合、受信したユーザIDが示すライブラリ一覧情報の開示情報の内、受信したジャンルと一致する組を抽出し（ステップＳ４１）、抽出した組を送信する（ステップＳ４５）。要求内容が検索を示す場合、受信したユーザIDが示すライブラリ一覧情報から、受信したタイトルと一致する組が有るか否かを検索し（ステップＳ４２）、検索結果を送信する（ステップＳ４５）。要求内容が非開示情報の取得を示す場合、受信した非開示パスワードが、ユーザ情報の受信したユーザIDと対応する非開示パスワードと一致するか否かを判断し（ステップＳ４３）、一致しない場合（ステップＳ４３でNO）、受信拒否を送信する（ステップＳ３３）。一致する場合（ステップＳ４３でYES）、ライブラリ一覧情報から非開示情報の組を抽出し（ステップＳ４４）、送信する（ステップＳ４５）。
【００４２】
取り出した情報を送信した後、再び受信を検出するまで待機する。
受信した内容が取得信号であった場合（ステップＳ３４で取得信号）、課金処理を行い（ステップＳ４６）、再び受信を検出するまで待機する。
１．６  携帯電話４００の動作
携帯電話４００を用いてライブラリ一覧情報を利用する際の動作について、図１４を用いて説明する。
【００４３】
制御部４０１は、入力を受け付けたか否かを検出する（ステップＳ６１）。入力を受け付けていない場合（ステップＳ６１でNO）、入力を受け付けるまで待機する。
入力を受け付けた場合（ステップＳ６１でYES）、入力内容を判断し（ステップＳ６２）、入力内容が終了を示す場合、処理を終了する。
入力内容がライブラリ一覧情報取得サービス開始を示す場合、表示部４０６に図９の表示画面４１１を表示し、ユーザＩＤ及びパスワードの入力を受け付ける（ステップＳ６３）。表示部４０６に表示画面４１２を表示し（ステップＳ６４）、ユーザの選択による入力を受け付ける（ステップＳ６５）。受け付けた入力内容を判断し（ステップＳ６６）、入力内容が検索を示す場合、表示画面４１３を表示し（ステップＳ６７）、タイトルの入力を受け付ける（ステップＳ６８）。受け付けたタイトルと、入力されたユーザＩＤ及びパスワードとを、取得要求情報としてライブラリ情報管理装置３００へ送信する（ステップＳ７３）。入力内容がジャンル別を示す場合、表示画面４１４を表示し（ステップＳ６９）、ユーザの選択による入力を受け付ける（ステップＳ７０）。選択されたジャンルと、入力されたユーザＩＤ及びパスワードとを取得要求情報としてライブラリ情報管理装置３００へ送信する（ステップＳ７３）。入力内容がライブラリ一覧情報の取得を示す場合、入力されたユーザＩＤ及びパスワードを、取得要求情報としてライブラリ情報管理装置３００へ送信する（ステップＳ７３）。
【００４４】
ステップＳ６２での入力内容が非開示情報の取得を示す場合、表示画面４１７を表示し（ステップＳ７１）、非開示パスワードの入力を受け付ける（ステップＳ７２）。入力された非開示パスワードと、ユーザＩＤと、非開示情報の取得要求とをライブラリ情報管理装置３００へ送信する（ステップＳ７３）。
情報送信後、ライブラリ情報管理装置３００から結果を受信したか否かを検出し（ステップＳ７４）、受信していない場合は、受信するまで待機する。受信した場合、取得信号をライブラリ情報管理装置３００へ送信して（ステップＳ７５）、受信した結果を表示部４０６に表示し（ステップＳ７６）、入力を検出するまで待機する。
２．その他の変形例
なお、本発明を上記の実施の形態に基づいて説明してきたが、本発明は、上記の実施の形態に限定されないのはもちろんである。以下のような場合も本発明に含まれる。
（１）本実施の形態では、再生装置からコンテンツをライブラリ一覧情報に登録する際、項目を選択し、ライブラリ情報管理装置は、選択された項目についてのライブラリ情報を生成するとしたが、登録時に選択せず、ライブラリ情報管理装置によって予め規定された項目についてライブラリ情報が生成されるとしても良い。また、ユーザが契約した際に、予め登録を希望する項目を選択しておき、再生装置から登録する際には、既に選択された項目についてライブラリ情報が生成されるとしても良い。
（２）本実施の形態では、携帯電話でライブラリ一覧情報を取得するとしたが、PDA（携帯情報端末）で取得するとしても良いし、携帯型の他の通信機器で取得するとしても良い。
【００４５】
また、端末装置が販売店に設置されており、ユーザは当該端末装置にユーザID及びパスワードを入力し、ライブラリ一覧情報を利用するとしても良い。
（３）本実施の形態では、ライブラリ一覧情報を利用する際に課金されるとしたが、ライブラリ一覧情報に新しくライブラリ情報を登録する際に課金するとしても良いし、登録した情報量、又は利用した情報量に応じて課金しても良い。また、予め規定した期間毎に定額課金するとしても良い。
（４）本発明の応用例として、以下のようにしても良い。
【００４６】
ライブラリ情報管理装置は、携帯電話にライブラリ一覧情報を送信する際、ライブラリ一覧情報に、CMなどの関連商品情報を加えて送信しても良い。ここで、関連商品情報とは、一例としてライブラリ一覧情報に登録されているコンテンツに関連するグッズや、割引情報、続編に関する情報及びお勧めコンテンツなどである。
（５）また、携帯電話は現在位置情報をライブラリ情報管理装置に送信し、ライブラリ情報管理装置は、受信した位置情報に関する情報サービス提供を行っても良い。
【００４７】
一例として、位置情報から規定の範囲内で、ライブラリ一覧情報に登録されているコンテンツに関連するグッズや、続編のコンテンツを販売している店舗を通知する。
（６）本実施の形態では、ライブラリ情報管理装置にライブラリ一覧情報を生成するとしたが、以下のようにしても良い。
再生装置でBDを再生する際、ユーザはメモリカードを再生装置に装着する。再生装置は、BDから読み出したコンテンツIDをメモリカードに書き込む。
【００４８】
ユーザは、コンテンツIDを記録したメモリカードを、携帯電話などの通信端末に装着する。メモリカードは、通信端末を介して、ライブラリ情報管理装置からコンテンツ情報を取得し、ライブラリ一覧情報を生成する。
このようにして、ユーザは、メモリカードに記録されたライブラリ一覧情報を利用することが出来る。
【００４９】
また、以下のようにしても良い。再生装置は、メモリカードにコンテンツIDを記録する。メモリカードは、ネットワークに接続された再生装置を介してライブラリ情報管理装置からコンテンツ情報を取得し、ライブラリ一覧情報を生成する。
また、上記メモリカードと同様の機能を備える携帯電話がライブラリ一覧情報を生成するとしても良い。この場合、携帯電話は、再生装置と有線又は無線で通信してコンテンツIDを取得する。取得したコンテンツIDのコンテンツ情報をライブラリ情報管理装置から取得して、ライブラリ一覧情報を生成する。
【００５０】
また、このメモリカード又は携帯電話を用いる場合も、上記のように、情報登録時又は情報利用時に課金でき、従量課金、定額課金としても良い。
（７）本実施の形態では、登録するコンテンツは、BDに記録されているとしたが、DVD 又はCDで有るとしても良いし、他の記録媒体に記録されているとしてもよい。また、コンテンツは、ユーザが購入する時点で既に記録媒体に記録されているものであっても良いし、購入後にネットワークを介して取得するものや、放送番組を受信するものであっても良い。また、BDに記録されているコンテンツは複数であっても良い。
【００５１】
また、記録媒体、書籍、食品、雑貨などの対象物のライブラリ一覧情報を生成する場合、以下のようにしても良い。
対象物には、RFIDタグ（Radio Frequency IDentification）を付す。このRFIDには、コンテンツの場合と同様に、対象物を識別する対象物識別子が記録されている。携帯端末は、RFIDタグからデータを読み出すリーダーの機能を備え、RFIDタグから対象物識別子を読み取る。携帯端末は、読み取った対象物識別子をライブラリ情報管理装置へ送信する。
【００５２】
ライブラリ情報管理装置は、コンテンツ情報に相当する対象物情報を記憶している。対象物情報は、各対象物に関する情報であり、一例として、対象物が書籍である場合、当該対象物のタイトル、作者、出版社、関連情報などから構成される。ライブラリ情報管理装置は、実施の形態と同様にして、携帯電話から受信する対象物識別子に対応する対象物情報を用いて各ユーザに対応するライブラリ一覧情報を生成し、管理する。
【００５３】
ユーザは、携帯電話を用いて実施の形態と同様にしてライブラリ一覧情報を利用することが出来る。
なお、再生装置や他のホームサーバなどがRFIDのリーダー機能を備えている場合、これらの機器が対象物識別子を読み取り、ライブラリ情報管理装置へ送信するとしても良い。また、RFIDタグのほか、２次元コードを利用するとしても良いし、他の記録媒体を利用するとしても良い。
【００５４】
また、本実施の形態で、ライブラリ情報管理装置にコンテンツのタイトルを送信してライブラリ一覧情報に含まれるか検索するとしたが、検索したいコンテンツを記録している記録媒体のジャケット等に予めコンテンツIDを記載しておき、そのコンテンツIDを携帯電話に入力して送信するとしても良いし、タイトルで検索するかコンテンツIDで検索するかを選択出来るようにしても良い。
【００５５】
また、RFIDタグ又は２次元コードを、携帯電話で読み取り、ライブラリ情報管理装置に送信して、ライブラリ一覧情報に登録されているかを検索することにも利用できる。
また、RFIDタグを利用する場合に、携帯電話に備えられているリーダーで、複数のコンテンツIDが読み取られると、携帯電話は、複数のコンテンツIDがそれぞれライブラリ一覧情報に登録されているか否かの検索を、ライブラリ情報管理装置に要求する。なお、複数のコンテンツIDを読み取った場合に、その中からユーザが検索したいコンテンツIDを選択し、携帯電話は、選択されたコンテンツIDについて検索を要求するとしても良い。
【００５６】
ライブラリ情報管理装置は、受信した要求に含まれる複数のコンテンツIDが、それぞれ登録されているか否かを判断し、判断結果を携帯電話へ送信する。
携帯電話は、判断結果を受信し、受信した判断結果をモニタに表示する。なお、携帯電話は、判断結果を表示する場合、各コンテンツIDが示すコンテンツが、登録されているか否かを対応付けて表示するとしても良いし、登録されているものと登録されていないものとに分類して表示するとしても良い。
（８）本実施の形態では、ライブラリ情報管理装置がライブラリ一覧情報を管理するとしたが、再生装置が管理するとしても良い。この場合、再生装置は、BDからコンテンツIDを読み取り、ライブラリ情報管理装置からコンテンツ情報を取得してライブラリ一覧情報を生成する。ライブラリ情報管理装置は、コンテンツ情報を格納しており、再生装置からの要求に応じてコンテンツ情報を提供し、ライブラリ一覧情報の生成は行わない。ユーザは、携帯電話やPDAなどの端末を用いて再生装置にアクセスし、ライブラリ一覧情報を利用する。また、再生装置は、生成したライブラリ一覧情報をメモリカード又は携帯電話に出力し、メモリカード又は携帯電話がライブラリ一覧情報を管理するとしても良い。
【００５７】
また、BDにコンテンツ、コンテンツID及びレンタル情報の他、ライブラリ一覧情報の管理用情報として、タイトル、タイトル映像、出演者情報、関連情報などが予め記録されており、再生装置は、この管理用情報をBDから読出し、当該再生装置内、メモリカード又は携帯電話にライブラリ一覧情報として記憶するとしても良い。
また、再生装置は、この管理用情報をライブラリ情報管理装置へ送信し、ライブラリ情報管理装置は、受信した管理用情報をライブラリ一覧情報として記憶し、ユーザからの要求に応じて、ジャンル別、検索結果など、ユーザが利用し易い形に処理して出力するとしても良い。
（９）本実施の形態で、ユーザがレンタルしたＢＤには、レンタル情報が記録されており、レンタルとしてライブラリ一覧情報に登録するとしたが、レンタルの場合は登録しないようにしても良いし、レンタルか否かを区別せずに登録するとしても良い。
【００５８】
また、本実施の形態では、未登録の場合、若しくは、レンタルで登録した後、レンタルでない同じコンテンツを再生した場合に登録するとしたが、コンテンツを再生する度に登録情報をライブラリ情報管理装置に送信し、毎回ライブラリ一覧情報を更新するとしても良い。
（１０）本実施の形態では、ユーザID及びパスワードで、開示情報のみ取得でき、開示情報の結果を取得した後に非開示情報を取得する構成としたが、これに限らない。開示情報を取得する専用のパスワードと、非開示情報を取得する専用のパスワードを予めライブラリ情報管理装置に登録しておき、ユーザは、携帯電話にユーザIDと何れかのパスワードとを入力して送信する。ライブラリ情報管理装置は、受信したパスワードが開示情報用のパスワードであれば開示情報のみを抽出して送信し、受信したパスワードが非開示情報用のパスワードであれば非開示情報を抽出して送信する。
（１１）本実施の形態で、ライブラリ情報管理装置は、再生装置から登録情報を受信すると、コンテンツ一覧情報から受信したコンテンツIDが示すコンテンツ情報を読み出して、ユーザID毎のライブラリ一覧情報を記憶するとしたが、ユーザID毎のライブラリ一覧情報には、コンテンツIDのみを記憶しておき、携帯電話から取得要求を受信した場合に、要求されたコンテンツ情報を読み出して送信するとしても良い。
（１２）ライブラリ情報管理装置は、キーワードでライブラリ情報を検索するとしても良い。この場合、ライブラリ情報管理装置は、関連情報として、対応するコンテンツに関連するキーワードを対応付けて記憶する。ユーザは、検索したいキーワードを入力してライブラリ情報管理装置へ送信し、ライブラリ情報管理装置は、キーワードを受信すると、受信したキーワードと一致するキーワードを含む組を抽出して出力する。なお、抽出した組をすべて出力するとしても良いし、識別子とタイトルのみを選択して出力するとしても良い。
（１３）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００５９】
また、本発明は、前記コンピュータプログラム又は前記デジタル信号をコンピュータ読み取り可能な記録媒体、例えば、フレキシブルディスク、ハードディスク、CD−ROM、MO、ＤＶＤ、DVD−ROM、DVD−RAM、BD（Blu−ray  Disc）、半導体メモリなど、に記録したものとしてもよい。また、これらの記録媒体に記録されている前記コンピュータプログラム又は前記デジタル信号であるとしてもよい。
【００６０】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００６１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
３．まとめ
本発明は、利用機器、管理機器及び可搬型の端末機器から構成され、対象物に係る情報を利用する情報提示システムであって、前記利用機器は、対象物を利用し、利用した対象物を識別する対象物識別子を前記管理機器へ送信し、前記管理機器は、前記対象物識別子を受信して保持し、前記端末機器からの要求に応じて、保持している対象物識別子に応じた提示情報を生成し、出力し、前記端末機器は、前記提示情報を要求し、前記管理機器から取得して提示することを特徴とする。
【００６２】
また、本発明は、利用機器、及び端末機器と共に情報提示システムを構成し、対象物に係る情報を管理する管理機器であって、対象物を利用する利用装置から、利用した対象物を識別する対象物識別子を受信する受信手段と、受信した対象物識別子を記憶する記憶手段と、前記記憶手段に記憶されている対象物識別子に基づき、前記端末機器からの要求に応じた提示情報を生成する提示情報生成手段と、前記提示情報を前記端末機器へ出力する出力手段とを備えることを特徴とする。
【００６３】
また、本発明は、管理機器及び端末機器と共に情報提示システムを構成する利用機器であって、対象物を利用する利用手段と、利用した対象物を識別する対象物識別子を取得する取得手段と、取得した対象物識別子を前記管理機器へ出力する送信手段とを備え、前記管理機器は、前記出力された対象物識別子を受け取って記憶し、記憶している対象物識別子に基づいて、前記端末機器からの要求に応じた提示情報を生成し、前記端末機器は、前記管理機器に前記提示情報の取得を要求し、前記提示情報を取得すると、ユーザに提示することを特徴とする。
【００６４】
また、本発明は、対象物を利用する利用機器、対象物に係る情報を管理する管理機器と共に、情報提示システムを構成する可搬型の端末機器であって、外部からの入力を受け付ける入力受付手段と、受け付けた入力に従って、前記利用機器で利用された対象物を識別する対象物識別子を記憶する管理機器から、前記対象物識別子に応じて生成される提示情報を取得する提示情報取得手段と、取得した前記提示情報を提示する提示手段とを備えることを特徴とする。
【００６５】
この構成によると、ユーザは、煩雑な操作をすることなく提示情報を利用することが出来る。また、端末機器を保持していれば、外出先など、任意の場所で利用した対象物に係る情報を利用することが出来る。
ここで、前記管理機器は、更に、複数の対象物をそれぞれ識別する各対象物識別子に、各対象物の属性を示す属性情報を対応付けて保持する属性情報保持手段を備え、前記提示情報生成手段は、属性情報保持手段が保持する属性情報のうち、前記受信した対象物識別子に対応する属性情報と、受信した対象物識別子とから前記提示情報を生成するとしても良い。
【００６６】
この構成によると、管理機器は当該機器が保持している属性情報と前記対象物識別子とに基づいて、提示情報を生成する。そのため、管理機器に対象物識別子が保持されていれば、その対象物に関連する情報も利用することが出来る。
ここで、前記管理機器は、更に、前記属性情報保持手段が保持する属性情報から、前記受信した対象物識別子に対応する属性情報を抽出する抽出手段を備え、前記記憶手段は、更に、前記受信した対象物識別子に対応付けて、抽出された属性情報を記憶するとしても良い。
【００６７】
この構成によると、予め受信した対象物識別子に属性情報を対応付けて記憶しているので、必要に応じてすぐに提示情報を生成して出力することが出来る。これによって、ユーザが提示情報を取得するための待ち時間が少なくて良い。
ここで、前記管理機器において、前記属性情報は、複数の項目に分類されており、前記端末機器からの前記要求は、特定の項目を含み、前記提示情報は、前記特定の項目を含む属性情報と、その属性情報が対応する対象物識別子とから生成されるとしても良い。
【００６８】
この構成によると、対象物の属性に基づく提示情報を利用できるので、例えば属性に基づいて対象物を検索する場合などに利用できる。
ここで、前記管理機器は、更に、前記受信した対象物識別子に識別される対象物の属性を示す属性情報を、他の機器から取得する属性情報取得手段を備え、前記記憶手段は、更に、前記受信した対象物識別子に対応付けて、取得した属性情報を記憶するとしても良い。
【００６９】
この構成によると、他の機器から属性情報を取得するので、当該管理機器は保持する必要がなく、管理機器内のメモリを有効に利用することが出来る。
ここで、前記管理機器は、前記利用機器及び前記端末機器にそれぞれ接続可能な可搬型の記録媒体であり、前記受信手段は、前記利用機器に接続された場合に、前記対象物識別子を受信し、前記出力手段は、前記端末機器に接続された場合に、前記提示情報を出力するとしても良い。
【００７０】
この構成によると、生成した提示情報を携帯型の端末機器へ出力するので、ユーザは管理機器が生成した提示情報を外出先などから利用することが出来る。
ここで、前記管理機器において、前記属性情報は、複数の項目に分類されており、前記端末機器からの要求は、特定の項目を含み、前記提示情報は、前記特定の項目を含む属性情報と、その属性情報が対応する対象物識別子とから生成されるとしても良い。
【００７１】
この構成によると、対象物の属性に基づく提示情報を利用できるので、例えば属性に基づいて対象物を検索する場合などに利用できる。
ここで、前記管理機器は、更に、前記提示情報の取得要求を受け付ける要求受付手段を備え、前記取得要求は、特定の対象物識別子を含み、前記提示情報は、前記取得要求に含まれる特定の対象物識別子が、前記記憶手段に記憶されているか否かを示すとしても良い。
【００７２】
また、前記端末機器は、更に、特定の対象物を識別する特定対象物識別子を取得する識別子取得手段を備え、前記提示情報取得手段は、入力された前記特定対象物識別子が、前記管理機器に記憶されているか否かを示す前記提示情報を、前記管理機器に要求して取得するとしても良い。
この構成によると、対象物識別子が記録されているか否かを判断して出力するので、ユーザは、対象物識別子に識別される対象物を記録したか否かを検索することが出来、前記対象物を購入したか、またレンタルしたかなどの判断に利用できる。
【００７３】
ここで、前記管理機器において、前記取得要求は、複数の対象物識別子を含み、前記提示情報は、前記取得要求に含まれる複数の対象物識別子のそれぞれが、前記記憶手段に記憶されているか否かを示すとしても良い。
また、前記端末装置において、前記入力受付手段は、更に、複数の対象物識別子の入力を受け付け、前記提示情報取得手段は、更に、それぞれの対象物識別子が前記管理機器に保持されているか否かを示す前記提示情報を要求して取得し、前記提示手段は、更に、前記提示情報を、保持されている対象物識別子と、保持されていない対象物識別子とを区別して提示するとしても良い。
【００７４】
この構成によると、複数の対象物識別子の有無を出力するので、ユーザは、一度に複数の対象物が記録されているか否かを知ることが出来る。また、それぞれ区別して提示されるので、利便性を向上することが出来る。
ここで、前記管理機器は、更に、第１パスワードを保持するパスワード保持手段と、前記端末機器から第２パスワードを受信するパスワード受信手段とを備え、前記提示情報生成手段は、更に、受信した第２パスワードが前記第１パスワードと一致するか否かを判断し、一致する場合に、前記提示情報を生成するとしても良い。
【００７５】
この構成によると、パスワードが一致した場合のみ提示情報を出力するので、パスワードを知らない他人による利用を防止できる。そのため、ユーザのプライバシーを保護することが出来る。
ここで、前記管理機器は、更に、位置情報と、対象物の属性及び位置に依存する広告情報とを保持する情報保持手段と、複数の対象物識別子と、それらの対象物の属性を示す属性情報とを対応付けて保持する属性情報保持手段と、前記端末機器の現在位置を示す位置情報を取得する位置情報取得手段とを備え、前記提示情報生成手段は、前記受信した対象物識別子が対応する属性と、取得した位置情報とに依存して広告情報を抽出し、抽出した広告情報を前記提示情報とするとしても良い。
【００７６】
この構成によると、提示手段を保持するユーザの位置情報と、これまでに利用した対象物の属性とに合わせて広告情報を送信することが出来るので、送信側としては効果的に広告でき、ユーザとしては、利用し易い情報を入手することが出来る。
ここで、前記利用機器において、前記取得手段は、当該利用機器のユーザからの入力を受け付けることによって前記対象物識別子を取得するとしても良い。
【００７７】
また、前記対象物識別子は、記録媒体に記録されており、前記取得手段は、前記記録媒体から、前記対象物識別子を読み取ることによって前記対象物識別子を取得するとしても良い。
【００７８】
この構成によると、対象物が書籍や雑貨などであっても、対象物識別子の入力又は記録媒体から読み取りのみの操作で、当該ユーザが利用した対象物識別子を記録することが出来る。
ここで、前記記録媒体は、RFIDタグであるとしても良い。
また、前記端末機器において、前記特定の対象物識別子は、前記特定の対象物に付されているRFIDタグに記録されており、前記識別子取得手段は、前記特定の対象物識別子を、前記RFIDタグから読み取ることによって取得するとしても良い。
【００７９】
この構成によると、RFIDタグから前記対象物識別子を読み取ることが出来るので、ユーザは、対象物識別子の入力などの操作を行わなくても、当該機器で読み取るだけで容易に提示情報を利用できる。
ここで、前記端末機器において、前記識別子取得手段は、複数のRFIDタグから複数の特定対象物識別子を読み取る機能を備え、前記提示情報取得手段は、前記複数の対象物識別子がそれぞれ前記管理機器に記憶されているか否かを示す前記提示情報を要求して取得し、前記提示手段は、前記管理機器に記憶されている対象物識別子と記憶されていない対象物識別子とを区別して提示するとしても良い。
【００８０】
この構成によると、一度に複数の対象物について登録されているか否かを検索することが出来る。また、対象物の販売店などでは多くの商品が陳列されていることが多く、RFIDを利用する場合、対象物を一つ一つ取り出して対象物識別子を読み取らなくても、一度端末機器を操作して対象物識別子を読み取るだけで複数の対象物について検索することが出来る。
【００８１】
ここで、前記利用装置において、前記記録媒体は、二次元コードであるとしても良い。
また、前記端末装置において、前記特定の対象物識別子は、前記特定の対象物に付されている二次元コードに記録されており、前記識別子取得手段は、前記特定対象物識別子を、前記二次元コードから読み取ることによって取得するとしても良い。
【００８２】
この構成によると、２次元コードから前記対象物識別子を読み取ることが出来るので、ユーザは、入力などの煩雑な操作を行わなくても、当該携帯端末装置で読み取るだけで提示情報を利用できる。
また、本発明は、可搬型の端末機器と共に情報提示システムを構成し、対象物に係る情報を管理する管理機器であって、対象物を利用する利用手段と、利用した対象物を識別する対象物識別子を取得する取得手段と、取得した対象物識別子を記憶する記憶手段と、前記記憶手段に記憶されている対象物識別子に基づいて、前記端末機器からの要求に応じた提示情報を生成する提示情報生成手段と、前記提示情報を前記端末機器へ出力する出力手段を備えることを特徴とする。
【００８３】
この構成によると、コンテンツを再生する際に、記録媒体からコンテンツ識別子を取得するので、ユーザは煩雑な操作をすることなく、対象物を利用するだけで、当該ユーザが利用した対象物識別子を記録することが出来る。
ここで、前記対象物は、デジタルコンテンツであり、前記利用手段による利用は、前記デジタルコンテンツの再生であり、前記デジタルコンテンツ及び前記対象物識別子は、可搬型の記録媒体に記録されており、当該記録媒体には、更に、前記デジタルコンテンツの属性を示す属性情報が記録されており、前記取得手段は、更に、前記記録媒体から前記属性情報を取得し、前記記憶手段は、更に、前記取得した対象物識別子に対応付けて、取得した前記属性情報を記憶し、前記提示情報生成手段は、前記記憶手段に記憶されている対象物識別子と、更に、当該対象物識別子に対応付けられて記憶されている前記属性情報とに基づいて前記提示情報を生成するとしても良い。
【００８４】
この構成によると、属性情報は記録媒体から取得するので、当該管理機器のみで対象物識別子を記録することが出来、他の装置と通信するなど他の処理を行うことなく実現できる。また、他の装置を設置する必要がないので、システムとしてのコストの増加を防ぐことも出来る。
ここで、前記対象物識別子は、利用された対象物に付された記録媒体に記録されており、前記取得手段は、前記記録媒体から読み取ることによって前記対象物識別子を取得するとしても良い。
【００８５】
この構成によると、記録媒体から読み取りのみの操作で、当該ユーザが利用した対象物識別子を記録することが出来る。
ここで、前記管理機器は、更に、前記取得した対象物識別子に識別される対象物の属性を示す属性情報を、他の機器から取得する属性情報取得手段を備え、前記記憶手段は、更に、前記対象物識別子に対応付けて、取得した属性情報を記憶するとしても良い。
この構成によると、対象物の属性に係る情報も利用することが出来る。
【産業上の利用可能性】
【００８６】
映画や音楽などの著作物がデジタル化されたコンテンツやコンピュータプログラムなどのソフトウェアを提供するソフトウェア産業において、本発明は、経営的に、また反復的、継続的に使用することが出来る。また、本発明のライブラリ情報管理装置、メモリカードは、電器製品等の製造産業において、生産し、販売することが出来る。
【図面の簡単な説明】
【００８７】
【図１】ライブラリ情報管理システム１００の全体の構成を示すブロック図である。
【図２】再生装置２００の構成を示すブロック図である。
【図３】モニタ２５１に表示される表示画面を表す図である。
【図４】ライブラリ情報管理装置３００の構成を示すブロック図である。
【図５】コンテンツ一覧情報の構成を示す図である。
【図６】ライブラリ一覧情報の構成を示す図である。
【図７】ユーザ情報を示す図である。
【図８】携帯電話４００の構成を示す図である。
【図９】携帯電話４００の表示部４０６に表示される入力画面を示す図である。
【図１０】再生装置２００の登録処理の動作を示すフローチャートである。図１１に続く。
【図１１】再生装置２００の登録処理の動作を示すフローチャートである。図１０の続き。
【図１２】ライブラリ情報管理装置３００の動作を示すフローチャートである。図１３に続く。
【図１３】ライブラリ情報管理装置３００の動作を示すフローチャートである。図１２の続き。
【図１４】携帯電話４００の動作を示すフローチャートである。
【図１】
0004588020.tif 000002
【図２】
0004588020.tif 000003
【図３】
0004588020.tif 000004
【図４】
0004588020.tif 000005
【図５】
0004588020.tif 000006
【図６】
0004588020.tif 000007
【図７】
0004588020.tif 000008
【図８】
0004588020.tif 000009
【図９】
0004588020.tif 000010
【図１０】
0004588020.tif 000011
【図１１】
0004588020.tif 000012
【図１２】
0004588020.tif 000013
【図１３】
0004588020.tif 000014
【図１４】
0004588020.tif 000015